(57)【特許請求の範囲】
【請求項１】
可撓性シースの先端に着脱自在に連結されたクリップ閉じリングが、複数の腕部を基端側で連結して形成されたクリップの後側に隣接して配置され、上記クリップが、上記クリップ閉じリング内に引き込まれることにより閉じた状態に保持されるように構成された内視鏡用クリップ装置において、
上記クリップは、上記クリップ閉じリング内に引き込まれる前の略無負荷のセッティング状態において、上記複数の腕部の基端連結部が上記クリップ閉じリングの先端側から上記クリップ閉じリング内に入った状態に配置されて、上記複数の腕部の先寄りの部分が各々上記クリップ閉じリングの先端から上記クリップ閉じリングの外面に沿って上記クリップ閉じリングの後側に向かい、上記各腕部の基端連結部と先寄りの部分との間の部分が上記クリップ閉じリングの先端面に当接するように曲がった形状に形成されていることを特徴とする内視鏡用クリップ装置。
【請求項２】
上記クリップは、その先端が上記セッティング状態において上記クリップ閉じリングの後端に達しない長さに形成されている請求項１記載内視鏡用クリップ装置。
【請求項３】
上記クリップの、軸線を含む断面における上記セッティング状態における断面形状が、略ｗ状である請求項１又は２記載の内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
内視鏡用クリップ装置は一般に、クリップの後側に隣接して配置されたクリップ閉じリングが可撓性シースの先端に着脱自在に連結されていて、クリップは、クリップ閉じリング内に引き込まれることにより開閉したあと閉じた状態に保持されて、クリップ閉じリングと共に体内に留置されるように構成されている。
【０００３】
【発明が解決しようとする課題】
上述のような内視鏡用クリップ装置においては、クリップとクリップ閉じリングとが直列に並んで配置された構成になることから、可撓性シースの先端部分の硬質部の長さが非常に長くなる。
【０００４】
そのため、内視鏡の処置具挿通チャンネルが小さな曲率半径で屈曲された状態では、内視鏡用クリップ装置の先端部分がそこに引っ掛かって、挿脱不能になったり破損してしまう場合があった。
【０００５】
そこで本発明は、先端部分の硬質部の長さを短縮することができて、内視鏡の処置具挿通チャンネルが小さな曲率半径で屈曲していてもスムーズに破損なく通過させることができる内視鏡用クリップ装置を提供することを目的とする。
【０００６】
【課題を解決するための手段】
上記の目的を達成するため、本発明の内視鏡用クリップ装置は、可撓性シースの先端に着脱自在に連結されたクリップ閉じリングが、複数の腕部を基端側で連結して形成されたクリップの後側に隣接して配置され、クリップが、クリップ閉じリング内に引き込まれることにより前方に向かって開閉したあと閉じた状態に保持されるように構成された内視鏡用クリップ装置において、クリップを、クリップ閉じリング内に引き込まれて開閉動作する前のセッティング状態においては腕部の先寄りの部分が後方に向かうように、曲がった形状に形成したものである。
【０００７】
なお、セッティング状態においては、クリップがほぼ無負荷の状態であってもよく、クリップの、軸線を含む断面におけるセッティング状態における断面形状が、略ｗ状であってもよい。
【０００８】
また、セッティング状態において、クリップの腕部の後方に向かう部分をクリップ閉じリングの外面に沿って配置することにより先端硬質部の長さをさらに短縮することができる。
【０００９】
【発明の実施の形態】
図面を参照して本発明の実施例を説明する。
図１は、使用準備のためのセッティングができた状態の内視鏡用クリップ装置の先端部分を示しており、使用に際しては、この状態で内視鏡の処置具挿通チャンネル（図示せず）に挿脱される。
【００１０】
１は、例えばステンレス鋼線を一定の径で密着巻きしたコイルパイプ状の可撓性のシースであり、その軸線位置に挿通配置された操作ワイヤ３が、シース１の基端に連結された操作部（図示せず）において軸線方向に進退操作される。
【００１１】
シース１の外面には、例えば四フッ化エチレン樹脂チューブ又は超弾性合金管等からなる可撓性の外套管１０が、単独で軸線方向に進退できるように緩く被嵌されている。
【００１２】
クリップ２は、例えばバネ用ステンレス鋼板材等の板状部材により形成されていて、１８０°対称に形成された一対の腕部２ａが互いに基端連結部２ｃにおいて一体に連結され、各腕部２ａの先端に爪状部２ｂが形成されている。
【００１３】
クリップ２は、ほとんど負荷のかかっていない自然状態にあるこのセッティング状態では、軸線を含む断面における断面形状が略ｗ状をなす形状に形成されていて、腕部２ａの先寄りの部分が途中から後方を向くように、途中の屈曲部２ｄで曲げられている。
【００１４】
操作ワイヤ３の先端には、クリップ２の後端部分から後方に延出するクリップ連結ワイヤ５に対して係脱させることができるクリップ連結フック４が取り付けられている。
【００１５】
クリップ連結フック４は、後側半部に操作ワイヤ３が半田付け等によって連結固着され、先側半部の側面部分に凹んで形成された凹部４ａに環状のクリップ連結ワイヤ５を係脱させることができるようになっている。クリップ連結ワイヤ５は、一本のワイヤの両端部分を結び合わせて環状に形成されている。
【００１６】
シース１の先端に固着された筒状のリング受け部材８の先端寄りの部分には、クリップ２を開閉駆動して閉じた状態に保持するための円筒状のクリップ閉じリング６が係脱自在に嵌め込まれている。この実施例のクリップ閉じリング６は、先端付近の内径が他の部分に比べて小さく形成されている。
【００１７】
クリップ２は、このようなクリップ閉じリング６に対して、基端連結部２ｃ部分が少しだけ内部空間に引き込まれた状態に配置されていて、屈曲部２ｄがクリップ閉じリング６の先端面に当接し、そこから爪状部２ｂに至る腕部２ａ部分がクリップ閉じリング６の外面に沿う状態にセットされている。
【００１８】
したがって、このクリップ装置においては、先端部分で柔軟に曲がらない先端硬質部にクリップ２の長さがほとんど含まれないので、内視鏡の処置具挿通チャンネルが相当に小さな曲率半径で屈曲している部分等でも引っ掛かりなくスムーズに通過させることができる。
【００１９】
クリップ装置の先端部分が内視鏡の処置具挿通チャンネルの先端から体内に突出したら、図２に示されるように、外套管１０を手元側に少し引き寄せてクリップ２を外套管１０の先端から前方に出た状態にし、操作ワイヤ３を手元側に牽引する。
【００２０】
すると、クリップ２の基端連結部２ｃがクリップ閉じリング６内の奥側方向に引き込まれて、一対の腕部２ａが、背側からクリップ閉じリング６の先端面で押されることにより前方に向かって開いた状態に変化する。
【００２１】
その状態で、一対の腕部２ａの間にクリッピングの対象である患部１００を位置させ、操作ワイヤ３を手元側にさらに牽引すると、図３に示されるように、クリップ２の一対の腕部２ａがクリップ閉じリング６により背側からさらに押されて閉じ、爪状部２ｂが患部１００の粘膜に突き刺さる状態になる。
【００２２】
そこで、図４に示されるように、操作ワイヤ３を先側に少し押し出しながらシース１を手元側に引き戻すことにより、クリップ連結ワイヤ５とクリップ連結フック４との係合が緩んで外れ、クリップ２が、クリップ閉じリング６により閉じられて患部１００の粘膜に食い付いた状態でシース１から離脱し、体内に留置される。
【００２３】
なお、本発明は上記実施例に限定されるものではなく、例えば図５に示されるように、クリップ２の腕部２ａの数は３本或いはそれ以上であっても差し支えなく、操作ワイヤ３とクリップ２とをワイヤ以外の部材で連結したものであっても差し支えない。
【００２４】
また、腕部２ａを必ずしもクリップ閉じリング６に沿わせなくても、クリップ２の腕部２ａの先寄りの部分を後方に向かって曲がった形状に形成することにより、先端硬質部が短縮化されて内視鏡の処置具挿通チャンネルへの挿通性が向上する。
【００２５】
【発明の効果】
本発明によれば、クリップを、クリップ閉じリング内に引き込まれて開閉動作する前のセッティング状態において腕部の先寄りの部分が後方に向かうように、曲がった形状に形成したことにより、内視鏡用クリップ装置の先端部分の硬質部の長さを短縮することができて、内視鏡の処置具挿通チャンネルが小さな曲率半径で屈曲していてもスムーズに破損なく通過させることができる。
【図面の簡単な説明】
【図１】本発明の第１の実施例の内視鏡用クリップ装置の使用準備のためのセッティングができた状態の先端部分の側面断面図である。
【図２】本発明の第１の実施例の内視鏡用クリップ装置のクリップ開閉動作における開状態の先端部分の側面断面図である。
【図３】本発明の第１の実施例の内視鏡用クリップ装置のクリップ開閉動作における閉状態の先端部分の側面断面図である。
【図４】本発明の第１の実施例の内視鏡用クリップ装置のクリップの留置状態を示す側面断面図である。
【図５】本発明の第２の実施例の内視鏡用クリップ装置の使用準備のためのセッティングができた状態の先端部分の斜視図である。
【符号の説明】
１  シース
２  クリップ
２ａ  腕部
２ｃ  基端連結部
２ｄ  屈曲部
３  操作ワイヤ
５  クリップ連結ワイヤ
６  クリップ閉じリング
１０  外套管
【図１】
0004046982.tif 000002
【図２】
0004046982.tif 000003
【図３】
0004046982.tif 000004
【図４】
0004046982.tif 000005
【図５】
0004046982.tif 000006